(57)【要約】      （修正有）【課題】箱体の開函時に粘着テープを容易に剥離することができる箱用シートを提供する。【解決手段】箱用シートは、１枚のシートからなり箱型に組み立て可能であり、左右方向の一方側から他方側に連接され、組立時に四角筒状部を構成する第１側面パネル１、第２側面パネル２、第３側面パネル３及び第４側面パネル４を備え、第２側面パネル及び第４側面パネルの上縁近傍の左右方向中央部に手掛け穴形成部１４及びこの手掛け穴形成部から下側に連続する指穴形成部１５が形成されており、手掛け穴形成部が、第２側面パネル及び第４側面パネルの上縁と平行な第１破断容易線と、第１破断容易線の両端部を接続するよう形成され、下方に凸な第２破断容易線とを有し、指穴形成部が、上端が上記第２破断容易線に接続され、第２破断容易線から下方に延びる一対の第３破断容易線と、一対の第３破断容易線の下端部同士を接続する折り曲げ容易線とを有する。【選択図】図１
0003213993.tif 000002
【実用新案登録請求の範囲】
【請求項１】
１枚のシートからなり、
左右方向の一方側から他方側に連接され、組立時に四角筒状部を構成する第１側面パネル、第２側面パネル、第３側面パネル及び第４側面パネルと、
上記第１側面パネル及び第３側面パネルの上縁から延出する一対の上側外フラップと、
上記第２側面パネル及び第４側面パネルの上縁から延出する一対の上側内フラップと
を備え、
箱型に組み立て可能な箱用シートであって、
上記第２側面パネル及び第４側面パネルの上縁近傍の左右方向中央部に手掛け穴形成部及びこの手掛け穴形成部から下側に連続する指穴形成部が形成されており、
上記手掛け穴形成部が、
上記第２側面パネル及び第４側面パネルの上縁と平行な第１破断容易線と、
上記第１破断容易線の両端部を接続するよう形成され、下方に凸な第２破断容易線と
を有し、
上記指穴形成部が、
上端が上記第２破断容易線に接続され、上記第２破断容易線から下方に延びる一対の第３破断容易線と、
上記一対の第３破断容易線の下端部同士を接続する折り曲げ容易線と
を有する箱用シート。
【請求項２】
上記第２破断容易線が、上記第１破断容易線と平行な直線部と、この直線部の端部と上記第１破断容易線の端部とを接続する一対の接続部とを有し、
上記一対の第３破断容易線が、上記直線部に接続されている請求項１に記載の箱用シート。
【請求項３】
上記第１破断容易線が、複数の切断線と、シートの内面を筋押しして形成された複数の罫線とが交互に連続したリード罫線であり、
上記折り曲げ容易線が、シートの内面を筋押して形成された罫線である請求項１又は請求項２に記載の箱用シート。
【請求項４】
上記手掛け穴形成部の上下方向長さが１．５ｃｍ以上３．０ｃｍ以下である請求項１、請求項２又は請求項３に記載の箱用シート。
【請求項５】
上記手掛け穴形成部の上下方向長さに対する上記指穴形成部の上下方向長さの比が０．５以上０．９以下である請求項４に記載の箱用シート。
【考案の詳細な説明】
【技術分野】
【０００１】
本考案は、箱用シートに関する。
【背景技術】
【０００２】
段ボールシート等から構成される箱用シートを組み立ててなる箱体が物品の梱包容器として広く用いられている。中でも、４つの側面パネルを四角筒状に接続し、対向する一対の側面パネルの上縁及び下縁から延出する上下各一対の外フラップを突き合わせるよう折り曲げることで四角筒状部の両端開口を封止するＡ式（いわゆるミカン箱タイプ）の箱体が最も多く利用されている。このようなＡ式の箱体は、外フラップの合わせ目を覆うよう粘着テープを貼着することで封函されるのが一般的である。
【０００３】
このように粘着テープを用いて封函された箱体を開函する比較的簡単な方法として、カッターナイフによって外フラップの合わせ目に沿って粘着テープを切断する方法がある。しかしながら、カッターナイフを使用すると、カッターナイフの先端が箱体内に収容される物品を誤って傷つけるおそれがある。そのため、粘着テープを箱用シートから引き剥がす方法が多用されている。
【０００４】
箱用シートに貼着された粘着テープを引き剥がすためには、まず粘着テープの長手方向の一方の端部を剥離し、この端部をしっかりと把持することができる状態にする必要がある。しかしながら、粘着テープを剥離する作業は容易ではなく、作業効率が悪い。
【０００５】
そこで、箱体の粘着テープの端部が貼着される領域にＵ字状の切込みとこの切込みの両側の上端を結ぶ折り曲げ容易線とを設けて折り曲げ可能な舌片を形成する方法が提案されている（特開２００３−７２７４８号公報参照）。この公報に記載の構成では、上記折り曲げ容易線とその少し下側の切込みの部分とを覆うよう粘着テープを貼着する。そして、箱体を開函する際に、舌片を箱体の内側に押し込むよう折り曲げ、この舌片を粘着テープから剥離したうえ、この剥離部分から粘着テープを引き剥がす。
【先行技術文献】
【特許文献】
【０００６】
【特許文献１】特開２００３−７２７４８号公報
【考案の概要】
【考案が解決しようとする課題】
【０００７】
上記公報に記載の構成によると、粘着テープの端部を把持するためには、舌片の押込みにより舌片と粘着テープとを剥離する必要がある。また、舌片の剥離を粘着テープの端縁に垂直な方向に進行させるためには、舌辺の幅全体に亘って同時に粘着テープの剥離を開始する必要がある。しかしながら、舌片の押込みによって舌辺の幅全体に亘って同時に粘着テープの剥離を開始するためには比較的大きな力を舌片の幅方向に均一に加える必要があり容易ではない。
【０００８】
本考案は、このような不都合に鑑みてなされたものであり、箱体の開函時に粘着テープを容易に剥離することができる箱用シートの提供を課題とする。
【課題を解決するための手段】
【０００９】
上記課題を解決するためになされた本考案に係る箱用シートは、１枚のシートからなり、左右方向の一方側から他方側に連接され、組立時に四角筒状部を構成する第１側面パネル、第２側面パネル、第３側面パネル及び第４側面パネルと、上記第１側面パネル及び第３側面パネルの上縁から延出する一対の上側外フラップと、上記第２側面パネル及び第４側面パネルの上縁から延出する一対の上側内フラップとを備え、箱型に組み立て可能な箱用シートであって、上記第２側面パネル及び第４側面パネルの上縁近傍の左右方向中央部に手掛け穴形成部及びこの手掛け穴形成部から下側に連続する指穴形成部が形成されており、上記手掛け穴形成部が、上記第２側面パネル及び第４側面パネルの上縁と平行な第１破断容易線と、上記第１破断容易線の両端部を接続するよう形成され、下方に凸な第２破断容易線とを有し、上記指穴形成部が、上端が上記第２破断容易線に接続され、上記第２破断容易線から下方に延びる一対の第３破断容易線と、上記一対の第３破断容易線の下端部同士を接続する折り曲げ容易線とを有する。
【００１０】
当該箱用シートは、手掛け穴形成部が、第１破断容易線と、この第１破断容易線の両端部を接続するよう形成され、下方に凸な第２破断容易線とを有しており、この第１破断容易線及び第２破断容易線は、箱体の組立状態で内側に折り曲げられる第１折り曲げ片を画定する。また、当該箱用シートは、指穴形成部が、上記第２破断容易線から下方に延びる一対の第３破断容易線と、上記一対の第３破断容易線の下端部同士を接続する折り曲げ容易線とを有しており、上記一対の第３破断容易線及び折り曲げ容易線は、箱体の組立状態で内側に折り曲げられる第２折り曲げ片を画定する。当該箱用シートは、箱体の組立状態で、一対の上側外フラップの合わせ目に粘着テープが貼着される。この粘着テープは、両端部が上記第１折り曲げ片上に位置するよう貼着される。上記粘着テープの貼着状態で、上記第１折り曲げ片は、第１破断容易線によって内側に折り曲げられた状態で保持される。これにより箱体を持ち運ぶ作業者は、上記第１折り曲げ片の折り曲げによって形成される手掛け穴に手指を入れ、この手掛け穴の上縁に指を掛けて箱体を容易に持ち運ぶことができる。また、当該箱用シートは、上記指穴形成部が手掛け穴形成部から下側に連続して形成されているので、作業者は上記第２折り曲げ片を上記折り曲げ容易線によって内側に折り曲げることで指穴を形成し、この指穴に指を通しながら内側に折り曲げられた第１折り曲げ片を外側に引き出すことができる。そのため、当該箱用シートは、箱体の組立状態で、外側に引き出された第１折り曲げ片を第１破断容易線を破断させつつ上方に引き上げることで、粘着テープを第１折り曲げ片と共に箱体から容易に剥離することができる。
【００１１】
上記第２破断容易線が、上記第１破断容易線と平行な直線部と、この直線部の端部と上記第１破断容易線の端部とを接続する一対の接続部とを有し、上記一対の第３破断容易線が、上記直線部に接続されているとよい。このように、上記第２破断容易線が、上記第１破断容易線と平行な直線部と、この直線部の端部と上記第１破断容易線の端部とを接続する一対の接続部とを有し、上記一対の第３破断容易線が、上記直線部に接続されていることによって、手掛け穴及び指穴の面積をそれぞれ十分に確保することができ、箱体の持ち運び性及び開函容易性を高めることができる。
【００１２】
上記第１破断容易線が、複数の切断線と、シートの内面を筋押しして形成された複数の罫線とが交互に連続したリード罫線であり、上記折り曲げ容易線が、シートの内面を筋押して形成された罫線であるとよい。このように、上記第１破断容易線が、複数の切断線と、シートの内面を筋押しして形成された複数の罫線とが交互に連続したリード罫線であり、上記折り曲げ容易線が、シートの内面を筋押して形成された罫線であることによって、上記手掛け穴及び指穴の形成容易性並びに上記第１折り曲げ片の剥離容易性を高めることができる。
【００１３】
上記手掛け穴形成部の上下方向長さとしては、１．５ｃｍ以上３．０ｃｍ以下が好ましい。このように、上記手掛け穴形成部の上下方向長さが上記範囲内であることによって、上記手掛け穴の面積を十分に確保しつつ、上記第１折り曲げ片の引き出し作業を比較的容易に行うことができる。
【００１４】
上記手掛け穴形成部の上下方向長さに対する上記指穴形成部の上下方向長さの比としては、０．５以上０．９以下が好ましい。このように、上記手掛け穴形成部の上下方向長さに対する上記指穴形成部の上下方向長さの比が上記範囲内であることによって、上記手掛け穴の面積を十分に確保しつつ、上記第１折り曲げ片の引き出し作業を容易かつ確実に行うことができる。
【００１５】
なお、本考案において、「左右方向」とは、箱用シートを組み立ててなる箱体の想定される一般的な使用態様における水平方向をいい、「上」及び「下」とは、想定される一般的な使用態様における上下を意味するが、上記箱体の使用時の向きを制限することを企図するものではない。「内面」とは、箱用シートを組み立ててなる箱体における内側の面を意味する。「側面パネルの上縁近傍」とは、手掛け穴形成部の第１破断容易線が側面パネルの上縁と離間しており、かつ側面パネルの上下方向長さに対する側面パネルの上縁と第１破断容易線との間隔の比が０．２０以下、好ましくは０．１５以下であることをいう。
【考案の効果】
【００１６】
以上説明したように、本考案に係る箱用シートは、箱体の開函時に粘着テープを容易に剥離することができる。
【図面の簡単な説明】
【００１７】
【図１】本考案の一実施形態に係る箱用シートを示す模式的平面図である。
【図２】図１の箱用シートを組み立ててなる箱体を示す模式的斜視図である。
【図３】図１の箱用シートの手掛け穴形成部及び指穴形成部の模式的拡大図である。
【図４】図２の箱体の手掛け穴を示す模式的斜視図である。
【図５】図２の箱体の開函手順を示す模式的斜視図である。
【図６】図２の箱体の図５の次の開函手順を示す模式的斜視図である。
【考案を実施するための形態】
【００１８】
以下、適宜図面を参照しつつ、本考案の実施の形態を詳説する。
【００１９】
［第一実施形態］
＜箱用シート＞
図１の箱用シートは、１枚のシートからなる。当該箱用シートは、箱型に組み立て可能に構成されており、具体的にはＡ式（ミカン箱タイプ）の図２の箱体３１に組み立て可能に構成されている。当該箱用シートは、左右方向の一方側から他方側に連接され、組立時に四角筒状部を構成する第１側面パネル１、第２側面パネル２、第３側面パネル３及び第４側面パネル４と、第１側面パネル１及び第３側面パネル３の上縁から延出する一対の上側外フラップ５，６と、第２側面パネル２及び第４側面パネル４の上縁から延出する一対の上側内フラップ７，８とを備える。また、当該箱用シートは、第１側面パネル１及び第３側面パネル３の下縁から延出する一対の下側外フラップ９，１０と、第２側面パネル２及び第４側面パネル４の下縁から延出する一対の下側内フラップ１１，１２と、第１側面パネル１の第２側面パネル２と連接される側と反対側の端縁から延出する糊代部１３とを備える。当該箱用シートは、第２側面パネル２及び第４側面パネル４の上縁近傍の左右方向中央部に手掛け穴形成部１４及び手掛け穴形成部１４から下側に連続する指穴形成部１５が形成されている。なお、図１において、太い実線はシートを切断して形成されるエッジを示し、細い実線はシートの内面に筋押しして形成される罫線を示す。
【００２０】
当該箱用シートに用いられるシートとしては、当該箱用シートを組み立ててなる箱体３１の形状を維持できる程度の強度を有する限り特に限定されるものではなく、例えば段ボールシート、ボール紙等の紙製シート、合成樹脂製シート、紙製シートと合成樹脂製シートとの積層シート等が挙げられる。中でも、加工性、衝撃吸収性、取扱性、リサイクル性、経済性等の点から紙製シートが好ましく、段ボールシートが特に好ましい。当該箱用シートを形成する段ボールとしては、原紙を波形状に形成した中芯をライナーに貼り合わせたものであって、例えば波形状に形成された中芯を１枚のライナーに貼り合わせた片面段ボールシート、片面段ボールシートの段頂にさらにライナーを貼り合わせた両面段ボールシート、両面段ボールシートの片側に片面段ボールシートの段頂を貼り合わせた複両面段ボールシート、複両面段ボールシートの片側に片面段ボールシートの段頂をさらに貼り合わせた複々両面段ボールシート等が挙げられる。これらの中でも、加工性、経済性、耐久性等の点から両面段ボールシートが好ましい。なお、当該箱用シートに用いられるシートの平均厚さは、必要に応じて適宜設定可能であり、例えば１．５ｍｍ以上８ｍｍ以下とすることができ、上記シートが両面段ボールシートである場合、このシートの平均厚さは、例えば５ｍｍとすることができる。
【００２１】
（側面パネル）
第１側面パネル１乃至第４側面パネル４は各々略方形状に形成されている。第１側面パネル１及び第３側面パネル３は略同形状に形成されている。また、第２側面パネル２及び第４側面パネル４は略同形状に形成されている。第１側面パネル１乃至第４側面パネル４の上下方向長さは等しい。また、第１側面パネル１及び第３側面パネル３の左右方向長さは第２側面パネル２及び第４側面パネル４の左右方向長さよりも大きい。つまり、当該箱用シートは、第１側面パネル１及び第３側面パネル３が一対の長さ面パネルとして構成され、第２側面パネル２及び第４側面パネル４が一対の幅面パネルとして構成されている。
【００２２】
第１側面パネル１及び第３側面パネル３の左右方向長さとしては、特に限定されないが、例えば３０ｃｍ以上７０ｃｍ以下とすることができる。第２側面パネル２及び第４側面パネル４の左右方向長さとしては、特に限定されないが、例えば１５ｃｍ以上４０ｃｍ以下とすることができる。第１側面パネル１乃至第４側面パネル４の上下方向長さとしては、特に限定されないが、例えば２０ｃｍ以上５０ｃｍ以下とすることができる。
【００２３】
第１側面パネル１乃至第４側面パネル４は、まず第１側面パネル１を第２側面パネル２の内面に折り重ね、続いて第４側面パネル４を第３側面パネル３の内面に折り重ね、糊代部１３を第４側面パネル４の内面に貼着することで無端状に接続される。第１側面パネル１乃至第４側面パネル４は、無端状に接続された状態で、第１側面パネル１及び第３側面パネル３が対向し、かつ第２側面パネル２及び第４側面パネル４が対向するように広げられることで四角筒状部を構成する。なお、第４側面パネル４への糊代部１３の貼着は、例えば接着剤、ステープラー等を用いて行うことができる。当該箱用シートは、通常、第１側面パネル１乃至第４側面パネル４が無端状に接続され、かつ第１側面パネル１の内面が第２側面パネル２の内面に密着し、第４側面パネル４の内面が第３側面パネル３の内面に密着した状態でユーザに提供される。
【００２４】
第１側面パネル１乃至第４側面パネル４が四角筒状部を構成した状態から箱体３１に組み立てる手順について説明する。まず、第１側面パネル１乃至第４側面パネル４によって四角筒状部が構成された状態で、一対の下側内フラップ１１，１２を内側に折り曲げ、続いて一対の下側外フラップ９，１０を内側に折り曲げて先端同士を突き合わせることで底部を形成する。さらに、一対の上側内フラップ７，８を内側に折り曲げ、続いて一対の上側外フラップ５，６を内側に折り曲げて先端同士を突き合わせることで蓋部を形成する。これにより、図２の箱体３１が組み立てられる。また、箱体３１は、一対の上側外フラップ５，６の先端同士の合わせ目及び一対の下側外フラップ９，１０の先端同士の合わせ目に沿って粘着テープＸを貼着することで封函状態が保持される。一対の上側外フラップ５，６の先端同士の合わせ目に沿って貼着される粘着テープＸは、両端が手掛け穴形成部１４の内部に含まれるよう貼着される。
【００２５】
（手掛け穴形成部）
一対の手掛け穴形成部１４は、第２側面パネル２及び第４側面パネル４の箱体３１の組立状態で対向する位置に形成されている。一対の手掛け穴形成部１４は、図３に示すように、第２側面パネル２及び第４側面パネル４の上縁と平行な第１破断容易線２１と、第１破断容易線２１の両端部を接続するよう形成され、下方に凸な第２破断容易線２２とを有する（なお、図３では、第２側面パネル２に形成される手掛け穴形成部１４及び指穴形成部１５について図示しているが、第４側面パネル４に形成される手掛け穴形成部１４及び指穴形成部１５の構成も同様である）。第１破断容易線２１及び第２破断容易線２２は、図４に示すように、箱体３１の組立状態で箱体３１の内側に折り曲げられる第１折り曲げ片Ｐ１を画定する。第１折り曲げ片Ｐ１は、第１破断容易線２１によって内側に折り曲げられることで手掛け穴Ｙを形成する。
【００２６】
第２破断容易線２２は、図３に示すように、第１破断容易線２１と平行な直線部２２ａと、直線部２２ａの端部と第１破断容易線２１の端部とを接続する一対の接続部２２ｂとを有する。一対の接続部２２ｂは、第２側面パネル２及び第４側面パネル４の左右方向中央を基準として左右方向外側に凸に湾曲している。
【００２７】
第１破断容易線２１は、箱体３１に手掛け穴Ｙを形成する際には折り曲げ線として機能し、箱体３１から粘着テープＸを剥離する際には破断線として機能する。第１破断容易線２１は、複数の切断線と、シートの内面を筋押しして形成された複数の罫線とが交互に連続したリード罫線である。第２破断容易線２２は、複数の切断線がこれらの切断線間に設けられる継ぎ目（非切断部）と交互に連続したミシン目である。上記複数の継ぎ目は、例えば第２破断容易線２２の直線部２２ａにのみ形成されている。本実施形態では、直線部２２ａの中央部及びこの中央部を基準とした左右対称位置に３つの継ぎ目が形成されている。当該箱用シートは、第１破断容易線２１がリード罫線であり、第２破断容易線２２がミシン目状であることによって、第１破断容易線２１の折り曲げによって第１折り曲げ片Ｐ１を箱体３１の内側に折り曲げやすく、これにより手掛け穴Ｙを形成しやすい。また、当該箱用シートは、第１破断容易線２１がリード罫線であることによって、第１折り曲げ片Ｐ１を箱体３１の外側に引き出した際に第１破断容易線２１を破断しやすい。
【００２８】
第１破断容易線２１の長さの下限としては、４ｃｍが好ましく、５ｃｍがより好ましい。一方、第１破断容易線２１の長さの上限としては、１０ｃｍが好ましく、８ｃｍがより好ましい。第１破断容易線２１の長さが上記下限より小さいと、箱体３１の持ち運び時に手掛け穴Ｙの上端に作業者の指を係止し難くなるおそれがある。逆に、第１破断容易線２１の長さが上記上限を超えると、手掛け穴Ｙが不要に大きくなり、第２側面パネル２及び第４側面パネル４の強度が不十分となるおそれがある。
【００２９】
第２側面パネル２及び第４側面パネル４の上縁と第１破断容易線２１との間隔Ｄ１の下限としては、２ｃｍが好ましく、３ｃｍがより好ましい。一方、上記間隔Ｄ１の上限としては、１０ｃｍが好ましく、５ｃｍがより好ましい。上記間隔Ｄ１が上記下限より小さいと、第２側面パネル２及び第４側面パネル４の上縁と第１破断容易線２１との間の部分が箱体３１の持ち運び時に破断して箱体３１の取扱性が低下するおそれがある。逆に、上記間隔Ｄ１が上記上限を超えると、箱体３１の持ち運び性や粘着テープＸの剥離容易性が低下するおそれがある。
【００３０】
手掛け穴形成部１４の上下方向長さＤ２（手掛け穴形成部１４の上下方向の最大長さ）の下限としては、１．５ｃｍが好ましく、１．８ｃｍがより好ましい。一方、手掛け穴形成部１４の上下方向長さＤ２の上限としては、３．０ｃｍが好ましく、２．５ｃｍがより好ましい。上記長さＤ２が上記下限より小さいと、手掛け穴Ｙに作業者の手指を挿入し難くなるおそれがある。逆に、上記長さＤ２が上記上限を超えると、第１折り曲げ片Ｐ１の引き出し作業が困難になるおそれがある。
【００３１】
（指穴形成部）
指穴形成部１５は、図３に示すように、第２破断容易線２２に接続され、第２破断容易線２２から下方に延びる一対の第３破断容易線１５ａと、一対の第３破断容易線１５ａの下端部同士を接続する折り曲げ容易線１５ｂとを有する。一対の第３破断容易線１５ａ及び折り曲げ容易線１５ｂは、図４に示すように、箱体３１の組立状態で箱体３１の内側に折り曲げられる第２折り曲げ片Ｐ２を画定する。第２折り曲げ片Ｐ２は、図５に示すように、箱体３１の開函時に折り曲げ容易線１５ｂによって内側に折り曲げられることで手掛け穴Ｙの下側に連続する指穴Ｚを形成する。
【００３２】
当該箱用シートは、図６に示すように、指穴Ｚから箱体３１の内側に作業者の指を挿入し、この指を第１折り曲げ片Ｐ１の先端部に掛けた状態で、指穴Ｚから引き出すことで第１折り曲げ片Ｐ１を箱体３１の外側に引き出すことができる。当該箱用シートは、この引き出した第１折り曲げ片Ｐ１を第１破断容易線２１で破断することで、粘着テープＸの端部を第１折り曲げ片Ｐ１と共に箱体３１から剥離することができる。これにより、作業者は第１折り曲げ片Ｐ１を把持して上側に引き上げることで粘着テープＸを第２側面パネル２及び第４側面パネル４から剥離することができ、さらに第１折り曲げ片Ｐ１を対向する側面パネル２，４側に移動させることで粘着テープＸを一対の上側外フラップ５，６の合わせ目部分から容易に剥離することができる。
【００３３】
一対の第３破断容易線１５ａは、複数の切断線がこれらの切断線間に設けられる継ぎ目（非切断部）と交互に連続したミシン目である。第３破断容易線は、例えば１個の継ぎ目と、この継ぎ目の上下に連続する一対の切断線から構成される。一対の第３破断容易線１５ａは、手掛け穴形成部１４の直線部２２ａに接続されている。当該箱用シートは、第１折り込み片Ｐ１の下端が直線部２２ａによって画定されることで、手掛け穴Ｙの面積を十分に確保して箱体３１の持ち運び性を高めやすい。また、当該箱用シートは、一対の第３破断容易線１５ａが直線部２２ａに接続されることで、指穴Ｚの面積を十分に確保して箱体３１の開函容易性を高めやすい。
【００３４】
折り曲げ容易線１５ｂは、第２側面パネル２及び第４側面パネル４の上縁と平行に配設されている。折り曲げ容易線１５ｂは、シートの内面を筋押しして形成された罫線である。当該箱用シートは、折り曲げ容易線１５ｂが罫線であることで、折り曲げ容易線１５ｂの折り曲げによって第２折り曲げ片Ｐ２を箱体３１の内側に折り曲げやすく、これにより指穴Ｚを形成しやすい。
【００３５】
一対の第３破断容易線１５ａ同士の間隔Ｄ３の下限としては、２．０ｃｍが好ましく、２．５ｃｍがより好ましい。一方、上記間隔Ｄ３の上限としては、５．０ｃｍが好ましく、４．０ｃｍがより好ましい。上記間隔Ｄ３が上記下限より小さいと、指穴Ｚに指を挿入し難くなるおそれがある。逆に、上記間隔Ｄ３が上記上限を超えると、第２折り曲げ片Ｐ２が意図せず折り曲げられるおそれや、第２側面パネル２及び第４側面パネル４の強度が低下するおそれがある。
【００３６】
指穴形成部１５の上下方向長さＤ４（直線部２２ａ及び折り曲げ容易線１５ｂの間隔）の下限としては、０．８ｃｍが好ましく、１．２ｃｍがより好ましい。一方、指穴形成部１５の上下方向長さＤ４の上限としては、２．５ｃｍが好ましく、２．０ｃｍがより好ましい。上記長さＤ４が上記下限より小さいと、指穴Ｚに指を挿入し難くなるおそれがある。逆に、上記長さＤ４が上記上限を超えると、第２折り曲げ片Ｐ２が意図せず折り曲げられるおそれや、第２側面パネル２及び第４側面パネル４の強度が低下するおそれがある。
【００３７】
手掛け穴形成部１４の上下方向長さＤ２に対する指穴形成部１５の上下方向長さＤ４の比（Ｄ４／Ｄ２）の下限としては、０．５が好ましく、０．６がより好ましい。一方、上記比（Ｄ４／Ｄ２）の上限としては、０．９が好ましく、０．８がより好ましい。上記比（Ｄ４／Ｄ２）が上記下限に満たないと、箱体３１の内側に折り曲げられた第１折り曲げ片Ｐ１を引き出すために作業者の指を箱体３１の内側に比較的深く差し込む必要が生じる一方、指穴Ｚの上下方向長さが不十分となり、第１折り曲げ片Ｐ１の引き出し作業が容易でなくなるおそれがある。逆に、上記比（Ｄ４／Ｄ２）が上記上限を超えると、手掛け穴Ｙの上下方向長さが不十分となり箱体３１の持ち運び性が低下するおそれや、指穴形成部１５が不要に大きくなることで第２側面パネル２及び第４側面パネル４の強度が不十分となるおそれがある。
【００３８】
＜利点＞
当該箱用シートは第１破断容易線２１及び第２破断容易線２２によって画定される第１折り曲げ片Ｐ１を有するので、作業者は第１折り曲げ片Ｐ１の折り曲げによって形成される手掛け穴Ｙに手指を入れ、手掛け穴Ｙの上縁に指を掛けることで箱体３１を容易に持ち運ぶことができる。また、当該箱用シートは指穴形成部１５が手掛け穴形成部１４から下側に連続して形成されているので、作業者は、第２折り曲げ片Ｐ２を折り曲げ容易線１５ｂによって内側に折り曲げることで指穴Ｚを形成し、この指穴Ｚに指を通しながら内側に折り曲げられた第１折り曲げ片Ｐ１を外側に引き出すことができる。そのため、当該箱用シートは、箱体３１の組立状態で、外側に引き出された第１折り曲げ片Ｐ１を第１破断容易線２１を破断させつつ上方に引き上げることで、粘着テープＸを第１折り曲げ片Ｐ１と共に箱体３１から容易に剥離することができる。
【００３９】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００４０】
例えば、当該箱用シートの下側フラップの個数及び形状は、箱体の底部を形成することができる限り、特に限定されるものではない。
【００４１】
上記第２破断容易線は、必ずしも第１破断容易線と平行な直線部と、この直線部の端部と第１破断容易線の端部とを接続する一対の接続部とを有していなくてもよい。また、上記第２破断容易線が上記直線部及び一対の接続部を有する場合でも、一対の接続部の具体的形状は上述の実施形態の形状に限定されるものではない。上記第２破断容易線は、例えば全体として半楕円状に形成されていてもよく、下方に凸なアーチ状に形成されていてもよい。
【００４２】
当該箱用シートは、上記第１破断容易線がリード罫線で、上記折り曲げ容易線が罫線であることが好ましいが、例えば第１破断容易線が複数の切断線がこれらの切断線間に設けられる継ぎ目と交互に連続したミシン目状であってもよい。
【産業上の利用可能性】
【００４３】
以上のように、本考案の箱用シートは、箱体の開函時に粘着テープを容易に剥離することができる。
【符号の説明】
【００４４】
１  第１側面パネル
２  第２側面パネル
３  第３側面パネル
４  第４側面パネル
５，６  上側外フラップ
７，８  上側内フラップ
９，１０  下側外フラップ
１１，１２  下側内フラップ
１３  糊代部
１４  手掛け穴形成部
１５  指穴形成部
１５ａ  第３破断容易線
１５ｂ  折り曲げ容易線
２１  第１破断容易線
２２  第２破断容易線
２２ａ  直線部
２２ｂ  接続部
３１  箱体
Ｐ１  第１折り曲げ片
Ｐ２  第２折り曲げ片
Ｘ  粘着テープ
Ｙ  手掛け穴
Ｚ  指穴
【図１】
0003213993.tif 000003
【図２】
0003213993.tif 000004
【図３】
0003213993.tif 000005
【図４】
0003213993.tif 000006
【図５】
0003213993.tif 000007
【図６】
0003213993.tif 000008